【手続補正書】
【提出日】平成27年6月18日(2015.6.18)
【手続補正１】
【補正対象書類名】特許請求の範囲
【補正対象項目名】全文
【補正方法】変更
【補正の内容】
【特許請求の範囲】
【請求項１】
貨物消火剤分配をスケーリングする方法であって、
動作条件を検出することと、
前記動作条件に基づいて消火剤供給源ユニットの組の中から供給源ユニットのサブセットを選択することにより、選択された供給源ユニットのサブセットを提供することと、
前記動作条件の間に、前記選択された供給源ユニットのサブセットから消火剤を分配することと、を含む方法。
【請求項２】
消火剤の流量が飛行条件に基づくように、前記供給源ユニットのサブユニットを選択することをさらに含む、請求項１に記載の方法。
【請求項３】
前記流量が、巡航飛行条件の間の低流量、降下飛行条件の間の高流量、高度、及び高度の変化率からなる群より選択される少なくとも一つの要素に基づいている、請求項２に記載の方法。
【請求項４】
消火剤の流量が気圧に基づくように、前記供給源ユニットのサブセットを選択することをさらに含む、請求項１ないし３のいずれか一項に記載の方法。
【請求項５】
前記気圧が、内部体積の気圧、外気圧、気圧の変化率、高度、及び高度の変化率からなる群より選択される少なくとも一つの要素を含む、請求項４に記載の方法。
【請求項６】
前記動作条件が、離陸、上昇、巡航、下降、着陸、貨物煙条件、貨物火災条件、及び貨物熱条件からなる群より選択される少なくとも一つの要素を含む、請求項１ないし５のいずれか一項に記載の方法。
【請求項７】
前記選択された供給源ユニットのサブセットが、定量システム、降下用貯蔵ボトル、ダンプボトル、フィルタ、及びレギュレータからなる群より選択される少なくとも一つの要素を含む、請求項１に記載の方法。
【請求項８】
消火剤供給源ユニットの組をビークルダクトシステムに連結することと、
前記ビークルダクトシステムを内部体積に連結することと、をさらに含む、請求項１ないし７のいずれか一項に記載の方法。
【請求項９】
前記消火剤供給源ユニットの組が、貯蔵ボトル、機上不活性ガス発生装置（ＯＢＩＧＧＳ）、ＨＦＣ−１２５供給源、ペンタフルオロエタン（ＣＦ３ＣＨＦ２）供給源、窒素供給源、アルゴン供給源、ヘリウム供給源、エアロゾル化された液体ミストの供給源、ＦＫ５−１−１２（Ｃ６Ｆ１２Ｏ）供給源、給水源、及びハロン供給源からなる群より選択される少なくとも一つの要素を含む、請求項１に記載の方法。
【請求項１０】
拡張可能な貨物消火剤分配システムであって、
ビークルダクトシステムに連結された消火剤供給源ユニットの組と、
第１の動作条件及び第２の動作条件の間に、それぞれ第１の消火剤及び第２の消火剤を分配するように動作可能な複数の分配ノズルと、
コントローラであって、
消火剤供給源ユニットの第１のサブセットを選択して、第１の動作条件の間に、前記消火剤供給源ユニットの第１のサブセットから、連続的に第１の消火剤を低流量で分配するように、且つ
消火剤供給源ユニットの第２のサブセットを選択して、第２の動作条件の間に、第２の消火剤の流量を増加して分配し、第１の消火剤と第２の消火剤とを組み合わせた流量を増加させるように動作可能なコントローラと、を備えるシステム。
【請求項１１】
内部体積が前記ビークルダクトシステムに連結されており、
前記第１の動作条件が巡航を含み、
前記第２の動作条件が降下を含み、
前記コントローラがさらに、
消火を行うために、巡航中に内部体積への酸素を遮断し、且つ
降下の間だけ一定流量の消火剤が分配されるように、消火剤供給源ユニットの第２のサブセットを選択するように動作可能である、請求項１０に記載のシステム。
【請求項１２】
前記第２の動作条件の間に前記第１の消火剤の流量を増加させるロジックをさらに備える請求項１０に記載のシステム。
【請求項１３】
流量の増加が、飛行フェーズ、高度、高度の変化率、上昇率、降下率、降下信号、飛行管理コンピュータからの信号、速度、マッハ数、圧力、圧力の変化率、及び温度からなる群より選択される少なくとも一つの要素に基づいている、請求項１０ないし１２のいずれか一項に記載のシステム。
【請求項１４】
前記消火剤供給源ユニットの第１のサブセット及び前記消火剤供給源ユニットの第２のサブセットが、パイロット入力、ユーザ入力、及びデータベース由来のパラメータからなる群より選択される少なくとも一つの要素に基づいて選択され、
前記コントローラがさらに、
前記第１の消火剤の放出を停止するために、前記消火剤供給源ユニットの第１のサブセットを遮断し、且つ
前記第２の消火剤の放出を開始するために、前記消火剤供給源ユニットの第２のサブセットをオンにするように動作可能である、請求項１０に記載のシステム。
【請求項１５】
前記消火剤供給源ユニットの第２のサブセットが、降下用貯蔵ボトル、レギュレータに連結された降下用ボトル、及びダンプボトルからなる群より選択される少なくとも一つの要素を含む、請求項１０に記載のシステム。
【手続補正２】
【補正対象書類名】明細書
【補正対象項目名】０１２３
【補正方法】変更
【補正の内容】
【０１２３】
同様に、接続詞「及び」によりリンクされた一組のアイテムは、それらアイテムの各々すべてがグループ内に存在することが必ずしも必要という意味ではなく、別途明確な記載がない限り、「及び／又は」と同義である。同様に、接続詞「又は」によりリンクされた一組のアイテムは、グループの中で必ずしも互いに排他的であるわけではなく、別途明確な記載がない限り、やはり「及び／又は」と同義である。さらに、本発明のアイテム、要素、又はコンポーネントが単一形で記載又は特許請求されているかもしれないが、明確な記載がない限り、本発明の範囲内で複数形も考慮される。一部の事例における「一又は複数の」、「少なくとも」、「限定されないが」などの広義的な用語及び表現の使用は、そのような広義的な表現がない場合に範囲を狭めることを意図している又は範囲を狭めることが必要であるという意味で使用されているのではない。
本開示の一態様によれば、貨物消火剤分配をスケーリングする方法であって、動作条件を検出することと、前記動作条件に基づいて消火剤供給源ユニットの組の中から供給源ユニットのサブセットを選択することにより、選択された供給源ユニットのサブセットを提供することと、前記動作条件の間に、前記選択された供給源ユニットのサブセットから消火剤を分配することと、を含む方法が提供される。
有利に、前記方法は、消火剤の流量が飛行条件に基づくように、前記供給源ユニットのサブユニットを選択することをさらに含む。好ましくは、前記流量は、巡航飛行条件の間の低流量、降下飛行条件の間の高流量、高度、及び高度の変化率からなる群より選択される少なくとも一つの要素に基づいている。
有利に、前記方法は、消火剤の流量が気圧に基づくように、前記供給源ユニットのサブセットを選択することをさらに含む。好ましくは、前記気圧は、内部体積の気圧、外気圧、気圧の変化率、高度、及び高度の変化率からなる群より選択される少なくとも一つの要素を含む。
有利に、前記動作条件は、離陸、上昇、巡航、下降、着陸、貨物煙条件、貨物火災条件、及び貨物熱条件からなる群より選択される少なくとも一つの要素を含む。
有利に、前記選択された供給源ユニットのサブセットは、定量システム、降下用貯蔵ボトル、ダンプボトル、フィルタ、及びレギュレータからなる群より選択される少なくとも一つの要素を含む。
有利に、前記方法は、消火剤供給源ユニットの組をビークルのダクトに連結することさらに含む。好ましくは、前記方法は、前記ビークルのダクトを内部体積に連結することと、をさらに含む。
有利に、前記方法は、前記内部体積内で消火することをさらに含む。好ましくは、航空機は、前記内部体積を備える。
有利に、前記消火剤供給源ユニットの組は、貯蔵ボトル、機上不活性ガス発生装置（ＯＢＩＧＧＳ）、ＨＦＣ−１２５供給源、ペンタフルオロエタン（ＣＦ３ＣＨＦ２）供給源、窒素供給源、アルゴン供給源、ヘリウム供給源、エアロゾル化された液体ミストの供給源、ＦＫ５−１−１２（Ｃ６Ｆ１２Ｏ）供給源、給水源、及びハロン供給源からなる群より選択される少なくとも一つの要素を含む。
本開示のさらなる態様によれば、拡張可能な貨物消火剤分配システムであって、ビークルのダクトに連結された消火剤供給源ユニットの組と、第１の動作条件及び第２の動作条件の間に、それぞれ第１の消火剤及び第２の消火剤を分配するように動作可能な複数の分配ノズルと、コントローラであって、消火剤供給源ユニットの第１のサブセットを選択して、第１の動作条件の間に、前記消火剤供給源ユニットの第１のサブセットから、連続的に第１の消火剤を低流量で分配するように、且つ消火剤供給源ユニットの第２のサブセットを選択して、第２の動作条件の間に、第２の消火剤の流量を増加して分配し、第１の消火剤と第２の消火剤とを組み合わせた流量を増加させるように動作可能なコントローラと、を備えるシステムが提供される。
有利に、内部体積は、前記ビークルのダクトに連結されており、前記第１の動作条件は、巡航を含み、前記第２の動作条件は、降下を含み、前記コントローラは、さらに、消火を行うために、巡航中に内部体積への酸素を遮断し、且つ降下の間だけ一定流量の消火剤が分配されるように、消火剤供給源ユニットの第２のサブセットを選択するように動作可能である。
有利に、前記システムは、前記第２の動作条件の間に前記第１の消火剤の流量を増加させるロジックをさらに備える。
有利に、流量の増加は、飛行フェーズ、高度、高度の変化率、上昇率、降下率、降下信号、飛行管理コンピュータからの信号、速度、マッハ数、圧力、圧力の変化率、及び温度からなる群より選択される少なくとも一つの要素に基づいている。
有利に、前記消火剤供給源ユニットの第１のサブセット及び前記消火剤供給源ユニットの第２のサブセットは、パイロット入力、ユーザ入力、及びデータベース由来のパラメータからなる群より選択される少なくとも一つの要素に基づいて選択され、前記コントローラは、さらに、前記第１の消火剤の放出を停止するために、前記消火剤供給源ユニットの第１のサブセットを遮断し、且つ前記第２の消火剤の放出を開始するために、前記消火剤供給源ユニットの第２のサブセットをオンにするように動作可能である。
有利に、前記消火剤供給源ユニットの第２のサブセットは、降下用貯蔵ボトル、レギュレータに連結された降下用ボトル、及びダンプボトルからなる群より選択される少なくとも一つの要素を含む。
有利に、前記消火剤供給源ユニットの第１のサブセットは、定量ボトル、第１のレギュレータに連結された定量ボトル、並びに第１のレギュレータ及び第２のレギュレータに連結された定量ボトルであって、前記定量ボトルに第１のレギュレータ及び第２のレギュレータが並列に繋がれている定量ボトルからなる群より選択される少なくとも一つの要素を含む。
本開示のさらなる態様によれば、航空機の拡張可能な貨物消火剤分配方法であって、消火剤供給源ユニットの第１のサブセットを選択して、第１の飛行フェーズの間に、消火剤供給源ユニットの第１のサブセットから、連続的に第１の消火剤を低流量で分配することと、消火剤供給源ユニットの第２のサブセットを選択して、第２の飛行フェーズの間に、消火剤供給源ユニットの第２のサブセットから、第２の消火剤を高流量で分配することと、前記第１の飛行フェーズ及び前記第２の飛行フェーズの間に、それぞれ前記第１の消火剤及び前記第２の消火剤を分配することと、前記第２の飛行フェーズの間に、前記第１の消火剤を前記第２の消火剤と同時に分配することと、を含む方法が提供される。